(57)【特許請求の範囲】
【請求項１】
センサアレイケーブルであって、
センサアレイケーブルに沿って互いに隔てられた少なくとも２つの補強メンバセグメントと；
少なくとも１つのインターリンク／センサアセンブリとを含み、前記少なくとも１つのインターリンク／センサアセンブリの各々は、前記補強メンバセグメントを互いに接続して機械的応力に耐えかつ伝送する物理的なインターリンクおよび物理的刺激に応答してインパルスを伝送するセンサ装置を含み、前記インターリンクは閉鎖し得る開口部を有するキャビティを規定するように互いに接続された２つの部分を含み、前記センサ装置は前記キャビティを占有し、前記開口部は前記少なくとも２つの補強メンバセグメントが前記インターリンクで互いに接続されているときに解放または閉鎖することができ；
前記センサ装置へ電力を供給するため、前記センサ装置からの前記インパルスを伝送するため、および前記センサ装置へ前記物理的刺激を供給するための少なくともいずれかのために、前記センサ装置へ連絡可能に連結された少なくとも１つの伝送媒体セグメントをさらに含む、センサアレイケーブル。
【請求項２】
前記インターリンク／センサアセンブリは、終端部を介して前記補強メンバセグメントに接続され、前記終端部はインターリンクに装着されて引張り荷重を伝送する、請求項１に記載のセンサアレイケーブル。
【請求項３】
前記インターリンク／センサアセンブリの両側にクリップをさらに含む、請求項１に記載のセンサアレイケーブル。
【請求項４】
前記補強メンバセグメントを取囲む保護ジャケットセグメントと、前記インターリンク／センサアセンブリの両側に伝送媒体セグメントとをさらに含む、請求項１に記載のセンサアレイケーブル。
【請求項５】
前記インターリンク／センサアセンブリを取囲み、かつ前記インターリンク／センサアセンブリの両側に前記保護ジャケットセグメントに封止される被覆成形物をさらに含む、請求項４に記載のセンサアレイケーブル。
【請求項６】
少なくとも１つの補強メンバセグメントと少なくとも１つの伝送媒体セグメントとを取囲む保護ジャケットセグメントを備えたケーブルにおいて物理的刺激に応答してインパルスを伝送するセンサ装置を設置するための方法であって、
ａ．前記保護ジャケットセグメントの一部を除去して前記補強メンバセグメントの或る
長さ部分と前記少なくとも１つの伝送媒体セグメントの或る長さ部分とを露出させ、除去された部分の両側に第１の保護ジャケットセグメントと第２の保護ジャケットセグメントとを残すステップと、
ｂ．前記露出された補強メンバ長さ部分の内部セグメントを除去し、前記内部セグメントが存在した場所の両側に２つの露出された補強メンバ端部を残すステップと、
ｃ．前記露出された補強メンバ端部をインターリンク／センサアセンブリに装着するステップとを含み、前記インターリンク／センサアセンブリは機械的応力に耐えて伝送する物理的なインターリンクとセンサ装置とを含み、前記インターリンクは閉鎖し得る開口部を有するキャビティを規定するように互いに接続された２つの部分を含み、前記センサ装置は前記キャビティを占有し、前記開口部は前記補強メンバセグメントが前記インターリンクで互いに接続されているときに解放または閉鎖することができ、
ｄ．前記センサ装置へ電力を供給するため、前記センサ装置からの前記インパルスを伝送するため、および前記センサ装置へ前記物理的刺激を供給するための少なくともいずれかのために、前記センサ装置を前記露出された伝送媒体セグメントのうちの少なくとも１つに接続するステップとを含む、方法。
【請求項７】
前記露出された補強メンバ端部の各々を終端によって終結するステップをさらに含む、請求項６のケーブル内にセンサ装置を設置するための方法。
【請求項８】
ａ．前記露出された補強メンバ端部を前記インターリンクに装着するステップと、
ｂ．前記センサ装置を前記インターリンクへ組合せて前記インターリンク／センサアセンブリを形成するステップとをさらに含む、請求項６に記載のケーブル内にセンサ装置を設置するための方法。
【請求項９】
前記インターリンク／センサアセンブリを被覆成形物で取囲み中に封じ込めるステップをさらに含む、請求項６のケーブル内にセンサ装置を設置するための方法。
【請求項１０】
前記第１および第２の保護ジャケットセグメントに前記被覆成形物を封止するステップをさらに含む、請求項９のケーブル内にセンサ装置を設置するための方法。
【発明の詳細な説明】
【０００１】
技術分野
この発明は、海洋地震調査において最も一般的に用いられる種類の音響センサを含むケーブルの分野に関連する。
【０００２】
背景技術
この発明はセンサアレイケーブルと、そのようなケーブルの製造方法に関する。
【０００３】
発明の開示
この発明は、補強メンバ、ワイヤおよび／または補強メンバのまわりに配置される光ファイバ、保護外部ジャケット、および１つ以上のインターリンク／センサアセンブリを組入れた、センサアレイケーブルを提供する。そのようなアセンブリによって、センサ装置のケーブル内への簡単でかつ低コストな設置が可能になる。この発明の方法は、そのようなケーブルの保護外部ジャケットの一部を剥ぎ取るステップと、補強メンバの一部を除去するステップと、除去された部分にインターリンク／センサアセンブリを挿入するステップとを含む。ケーブルは次いでプラスチック材料で被覆成形される。この方法はケーブルの引張強さ、構造統合性および耐環境性を維持する。
【０００４】
発明を実行するためのベストモード
図１は、ノード２と示される長さに沿ったさまざまな位置でインターリンク／センサアセンブリ５を含む、センサアレイケーブル１を示す。
【０００５】
図２は、組合されるとインターリンク／センサアセンブリ５を形成するインターリンク６とセンサ装置３とを含む、インターリンク／センサアセンブリ５の実施例の構成要素を一部破断して示す。
【０００６】
インターリンク６は、ケーブル１の引張強さを維持しながら、センサ装置３をケーブル１に素早くかつ安価に設置することを可能にする。インターリンク６は好ましくは、均等にかつ連続的に機械的応力を伝達するのに適切な形状および構成の構造物である。インターリンク６は、エンジニアリングサーモプラスチックのようなプラスチック材料、またはガラス繊維強化エポキシ樹脂のような複合材料からなり得るが、これは必須ではなく、アルミニウムのような他の好適な材料、または材料の組合せも用い得る。好ましい実施例においては、インターリンク６は図１９に示すようにセンサ装置３の内部に存在する。図２および図３は、インターリンク６がセンサ装置３を収容する外部構造である代替的な実施例を示す。
【０００７】
センサ装置３はたとえば、物理的刺激（たとえば熱、光、音、圧力、磁気または特定の動きなど）に応答し、結果として生じるインパルスを（測定または制御のために）伝達する、いかなる装置をも含み得る。たとえば一実施例においては、センサ装置３は海洋地震調査において一般に用いられる種類のハイドロホンである。そのようなハイドロホンは、光ファイバまたは圧電現象を用いて動作するものを含むが、これに限定されるものではない。センサ装置３はまた、たとえば、遠隔測定、信号伝導、信号処理、信号増幅などのためのいかなる装置をも含み得る。したがって、センサ装置はたとえば、ハイドロホンのようなセンサ装置からの出力を増幅および／または伝達する光学部品および／または電子部品を含み得る。センサ装置３は光信号を増幅するために用いられる場合、複数の１つ以上の光ファイバカプラ、光ファイバ遅延コイル、光ファイバスプライス、波長分割マルチプレクサカプラ、およびエルビウムまたはイッテルビウムのような原子でドープされた光ファイバを含み得る。電気信号を増幅しかつ多重化するための電子部品もまたセンサ装置３内に含み得る。センサ装置３の正確な機能および構成は用途とともに変化させることができ、かつこの発明の実務には影響しない。
【０００８】
図１９は、インターリンク６がセンサ装置３の内部に存在する、インターリンク／センサアセンブリ５（図１に示す）の好ましい実施例を示す。そのような実施例においては、インターリンク６はロッドのような機械加工または鋳造された中実の物体であって、補強メンバセグメント４の終端を受けるためのスロット１４を含む。次いでインターリンク６は、センサ装置３内のキャビティに挿入され、センサ装置３に接着される。次いで補強メンバセグメント４が終端を介して、ガラス繊維入りエポキシ樹脂のような剛性接着剤による接着、または止めねじによってスロット１４でインターリンク６に装着される。
【０００９】
図３は、センサ装置３がインターリンク６内に含まれるインターリンク／センサアセンブリ５（図１に示す）の別の実施例の構成要素を示す。示されるように、インターリンク６は下半片１１と上半片１２とを含む中空の本体である。上半片１２は例として、窓５０を備えたフレームとして示される。窓５０は上半片１２における開口部である。下半片１１または上半片１２のいずれか、またはその両方が、インターリンク／センサアセンブリ５の組立の間の視覚的検査／処理アクセスと、かつ封入剤が用いられる場合はこれを流す（flood）ことを容易にするために、窓５０を含んでもよく、また含まなくてもよい。示されるように下半片１１は、開放キャビティ１３と、終端１７を受けてケーブル補強メンバセグメント４に装着するためのスロット１４とを含む。センサ装置３は、丁番付けスリーブマウント１５内に含まれる。組合された丁番付けスリーブマウント１５およびセンサ装置３は、下半片１１の開放キャビティ１３内に配置される。丁番付けスリーブマウント１５は処理の間、封じ込められたセンサ装置３を保護する。次いで上半片１２を下半片１１の上に配置して装着し、その結果センサ装置３がインターリンク６内に封じ込められることによりインターリンク６とセンサ装置３とが組合され、インターリンク／センサアセンブリ５（図１に示す）を形成してもよい。
【００１０】
図１９および図３に示す実施例は排他的なものとは意図されない。インターリンクがセンサ装置の一体化された部分として、たとえばセンサ装置の内部に存在するか外部の付属物である実施例を含む、特定の用途に応じて他の実施例も適切であるが、これに限定されるものではない。
【００１１】
図４は、インターリンク／センサアセンブリ５の素早く安価な設置を容易にする、ノード２の間の図１のセンサアレイケーブル１の実施例を示す。ノード２の間で、ケーブル１はケーブル１に加えられる機械的応力を負う補強メンバセグメント４と、少なくとも１つの伝達媒体セグメント７と、ケーブルの内部の構成要素を保護する保護ジャケットセグメント８とを含む。
【００１２】
補強メンバセグメント４は、金属または、アラミドファイバもしくはベクトランのような合成材料からなるコードまたはブレードである。技術分野で一般的であるように、補強メンバセグメントはまた外側コーティングジャケットをも有し得る。補強メンバセグメント４は、ノード２でインターリンク／センサアセンブリ５に装着されることにより併せて接合される。
【００１３】
伝達媒体セグメント７は、電線、光ファイバ、または、電力もしくは信号をセンサ装置との間で送受信する他のいかなる好適なエネルギ導波路またはキャリアであってもよい。セグメント７は、補強メンバセグメント４の近位に位置し、かつ好ましい実施例においては、図２０に例として示すように、補強メンバセグメント４のまわりに螺旋状に巻かれる。伝達媒体セグメント７は、その動作（電力の受取り、信号の送信など）のために必要な場合インターリンク／センサアセンブリ５のセンサ装置３に接続されるか、またはセンサ装置３に接続することなく１つ以上のノード２を通過し得る。そのような状況においては、伝達媒体セグメント７はインターリンク／センサアセンブリ５上に搭載されてもよい。
【００１４】
保護ジャケットセグメント８は、いかなる好適な材料から作られてもよいが、ポリエチレン、ポリウレタンまたはナイロンのような十分な弾性、耐久性、強度および封止能力を備えたプラスチック材料が好ましい。
【００１５】
図５は、どのように保護ジャケットセグメント８が被覆成形物９を介してノード２で併せて接続されるかを示すが、該被覆成形物９はインターリンク／センサアセンブリ５を取り囲み、これを中に含むものである。
【００１６】
被覆成形物９は、インターリンク／センサアセンブリ５およびセグメント７を環境から密封して保護し、ノード２の両側にセグメント８に対して封止を形成するプラスチック、ゴムまたは他の好適なエラストマーからなる。
【００１７】
こうして、ケーブル１の外部は被覆成形物９を介して併せて接合される保護ジャケットセグメント８を含み、水などの外部環境に対する連続的な封止された保護を形成する。
【００１８】
インターリンク／センサアセンブリ５はケーブル１に容易に付加される。図６は、インターリンク／センサアセンブリ５をケーブル１に設置するための第１のステップを示す。剥ぎ取りなどによって、ノード２の間の保護ジャケットセグメント８の中間部分１６が除去され、ケーブル１の内部を露出する（補強メンバセグメント４と伝達媒体セグメント７とを含む）。これは第１の保護ジャケットセグメント１８と第２の保護ジャケットセグメント１９とを新しく露出されたケーブル内部の横に残す。
【００１９】
図７は付加的なセンサ装置を設置する第２のステップを示す。露出された伝達媒体セグメント７は予め定められた長さの露出された補強メンバセグメント４への容易なアクセスを提供するよう操作される。もし補強メンバセグメント４が外側コーティングジャケットを有していれば、この外側コーティングジャケットは剥ぎ取りまたは他の手段によって一部が除去される。補強メンバセグメント４の内部部分２２が除去されるが、これは設置のためにインターリンク／センサアセンブリ５よりも長くなければならず、内部部分２２を除去したことにより形成されるギャップのどちらの端にも、２つの露出された自由端２０および２１を１つずつ残す。
【００２０】
図８は、付加的なセンサ装置を設置する第３のステップを示す。露出された自由端２０および２１の各々は終端１７を与えられる。終端１７は端部２０および２１のほつれを防ぎ、それらをインターリンク／センサアセンブリ５に装着して、補強メンバからの引張負荷をインターリンク／センサアセンブリ５に伝達することを可能にする。終端１７の異なった構成が実現可能であって、用いられる補強メンバセグメント４の種類と、インターリンク／センサアセンブリ５への接続モードとによって変化し得る。図８は、補強メンバセグメント４が鋼コードなどである、球状スウェージ加工（または直円柱スウェージ加工）としての終端１７の例を示す。
【００２１】
図９は、終端１７の別の実施例である楔終端２３を示す。非金属補強メンバセグメント４を形成するストランド２４は終端ブロック２６内に挿入されて円錐容積２５を通して広げられる。ストランド２４の間の円錐容積２５に金属の楔または円柱２７が挿入される。
【００２２】
図１０は、終端１７の別の実施例である鋳造ロープ終端２８を示す。金属または、合成コードもしくはブレードのいずれであってもよい、補強メンバセグメント４のストランド２４は、終端ブロック２６内に挿入されて円錐容積２５を通して広げられる。ガラス繊維入りエポキシ樹脂などの硬質鋳造材料２９が円錐容積２５内に配置されて、補強メンバセグメント４を終端ブロック２６に効率的に接着する。
【００２３】
図１１は、アラミドなどのブレード処理された合成コードが用いられる場合の、終端１７の別の実施例であるブレード処理されたスプライス終端３０を示す。ブレード処理された索眼３１が示されるが、この方法および説明はエルバート・Ｓ・マロニー、チャールズ・フレデリック・チャップマン（Elbert S. Maloney, Charles Frederic Chapman）の「チャップマン・パイロッティング：操船術および小型船舶取扱（Chapman Piloting: Seamanship & Small Boat Handling）」第６２版、ハースト・ブックス出版、ＩＳＢＮ０６８８  １４８９２１、などの航行法のためのハンドブックに記載される。
【００２４】
図１２は、合成コードが用いられる場合の終端１７の別の実施例である結び目終端３２を示す。終端の形成においていかなる好適な結び目３３が用いられてもよく、この方法および説明は、エルバート・Ｓ・マロニー、チャールズ・フレデリック・チャップマンの「チャップマン・パイロッティング：操船術および小型船舶取扱」第６２版、ハースト・ブックス出版、ＩＳＢＮ０６８８  １４８９２１、などの航行法のためのハンドブックに記載される。
【００２５】
図１３は、終端１７の別の実施例である摩擦生成キャプスタン終端３４を示す。補強セグメント８の自由端は、好ましくは少なくとも３回キャプスタン３５のまわりに巻かれる。次いで固定端３６は端部３６のキャプスタン３５への接着、またはキャプスタン３５が装着されるインターリンクへの接着、またはキャプスタン３５のまわりのループが解けることを防ぐ他の手段に接着されることにより、終結される。他の手段の終端もまた実現可能であり、適宜用いられてもよい。
【００２６】
図１４は、第４のステップを示す。たとえばスロット１４を備えたインターリンク６の下半片１１は、たとえばボールスウェージ加工１７によって終結された端部２０および２１を受ける。端部２０および２１の各々がスロット１４内に挿入される。次いで終端リンククランプ３７がスロット１４の上に配置され、下半片１１に装着されて終結された端部２１および２１を定位置に保持する。もし終端が用いられるのであれば、たとえばスウェージ加工嵌め、接着接続、ねじ切りクリンプ嵌め、圧縮嵌めなどの終端の種類に応じて、他の手段の装着もまた実現可能であり好適である。
【００２７】
図１５および図１６は、さらに一体結合を確実にするために、クリップ４０がインターリンク／センサアセンブリ５に設置されて終端１７を捕獲する実施例を示す。
【００２８】
補強セグメントメンバ４をインターリンク／センサアセンブリ５に装着した後、第５のステップは（もしまだ行なわれていなければ）切断して、必要な伝送媒体セグメント７（たとえばワイヤまたは光ケーブル）をセンサ装置３に接続することである。光学構成要素またはファイバ（光ファイバハイドロホンなど）を用いるセンサ装置３に対しては、ＦＣ／ＡＰＣなどの光ファイバコネクタを用い得るが、そのようなセンサのための光ファイバ接続の好ましい方法は融着スプライシングである。特定の用途に応じて、他の接続手段もまた適切である。インターリンク／センサアセンブリ５に接続されていないいかなる伝送媒体セグメント７も、インターリンク／センサアセンブリ５上に搭載可能である。
【００２９】
図１７は、センサをケーブル１に設置する６番目であって最後のステップの結果である被覆成形物９を示す。上述のようにインターリンク／センサアセンブリ５を設置した後で、インターリンク／センサアセンブリ５を備えた露出されたケーブル内部はプラスチック、ゴムまたは別の好適なエラストマーで被覆成形され、それにより被覆成形物９が形成され、露出されたケーブル内部の両側に保護ジャケットセグメント８に対して水密封止を形成する。被覆成形物９は射出成形、鋳造などによって形成し得る。被覆成形物を形成する前に、このインターリンク／センサアセンブリを剛性チューブで取囲み、封じ込めることも実行可能である。これは成形／硬化プロセスの実現化において、さらなる柔軟性の利点を提供する。さらに、もし保護ジャケットセグメントを超えて延在する剛性チューブを用いると、これを単に封入剤で被覆し、こうしてこれ自体が被覆成形物としての役割を果たしてもよい。
【００３０】
図１８は、インターリンク／センサアセンブリ５および被覆成形物９を含むケーブル１上の完成したノード２の断面の斜視図を示す。
【００３１】
センサ装置をケーブルに設置するためのこの方法は、補強メンバ４を含むケーブルに始まり、１つ以上の伝送媒体７、および保護ジャケット８、次いで所望の数のインターリンク／センサアセンブリ５を付加したセンサアレイケーブル１の全体を形成するために用い得る。この方法は、任意の数のインターリンク／センサアセンブリを含んでセンサアレイケーブル１を形成することを可能にする。
【００３２】
以下に続くのは、この開示と特許請求の範囲を理解する助けとするための用語集である。
【００３３】
ノード
センサ装置またはインターリンク／センサアセンブリが位置決めされるセンサアレイケーブル上の位置。
【００３４】
コード
編まれるかまたは撚り合わされたいくつかのストランドからなる細長い柔軟性のある材料。
【００３５】
ファイバ
ガラスまたは金属などの材料から構築されることができ、電気または光エネルギを伝達（搬送）し得る、細長く引き延ばされた天然または人工フィラメント。
【００３６】
ブレード
長さに沿って規則的な斜めに交わるパターンを形成する少なくとも２つの構成要素ストランドを有するコード。
【００３７】
補強メンバセグメント
ノードの間に位置しセンサアレイケーブルに引張強さを提供する、金属またはアラミドファイバなどの材料から作られるコード。
【００３８】
インターリンク
機械的応力を伝達し受けるよう適合された特定の形状および構成の物体。
【００３９】
センサ装置
物理的刺激（たとえば、熱、光、音、圧力、磁力または特定の動き）に応答し、結果として生じるインパルスを（測定または制御のために）伝達する装置、または遠隔測定、信号伝導、信号処理、信号増幅などのための装置。
【００４０】
インターリンク／センサアセンブリ
センサ装置とインターリンクとの組合せ。
【００４１】
伝送媒体セグメント
センサ装置との間で電力およびエネルギ信号を搬送し得る材料から作られる固定された長さの物体であって、たとえば電線または光ファイバを含み得る。
【００４２】
保護ジャケットセグメント
補強メンバセグメント、伝送媒体セグメント、またはその両方を、たとえば水などのまわりの環境から保護する、プラスチック、ゴム、または他のエラストマーなどの材料から作られる物体。
【００４３】
被覆成形物
インターリンク／センサアセンブリおよび伝送媒体セグメントをノードにおいて取囲み封じ込める、プラスチック、ゴムまたは他のエラストマーなどの材料から作られる物体であって、ノードの両側に保護ジャケットセグメントで水密封止を形成する。
【００４４】
終端
機械的、化学的または他の方法で整形され処理されてほつれを防ぎ、インターリンクへの装着および引張荷重の伝達が可能である、コード、ファイバまたはワイヤの端部。
【００４５】
電線
電気の導体。
【００４６】
光ファイバ
光エネルギを伝送する（搬送する）ファイバ。
【００４７】
プラスチック
高分子量のほぼ熱可塑性であるかまたは熱硬化するポリマーであり、成形、鋳造、押出、引抜、または積層が、物体、フィルムまたはフィラメント上に可能である、エラストマー、ゴム、または、いくつもの任意の天然、人工または処理された材料。
【００４８】
射出成形
プラスチックの物体、フィルム、またはフィラメントを生成するための方法。
【００４９】
装着点
たとえば終端を受入れるための溝などの、補強セグメントを装着し得るインターリンク／センサアセンブリ上の位置。
【００５０】
搭載する
インターリンク／センサアセンブリの内部および／または上および／またはまわりに伝送媒体セグメントを配置すること。
【００５１】
コネクタ
伝送媒体セグメントとセンサ装置との間を電気または光エネルギが通過できるよう、これらを接合またはリンクする装置。
【００５２】
遠隔測定モジュール
増幅または変更によって、もしくはこれらなしで、電気または光信号を受信し、信号を送信するために用いられる任意の装置。
【００５３】
組合せる
永久的にまたは取外し可能に物体を装着する必要なく、物理的接触のような近い関係に２つ以上の物体を置くこと。
【００５４】
占有する
キャビティ内の空間の容積を少なくとも部分的に占めること。
【００５５】
キャビティ
物体内の満たされていない空間。
【００５６】
開放キャビティ
物体を取囲む空間に連通する、物体内の満たされていない空間。
【００５７】
閉鎖キャビティ
物体を取囲む空間に接触していない、物体内の充填されていない空間。
【００５８】
封入剤
インターリンク／センサアセンブリなどの物体を封入するために用いられる材料であって、封入される物体を機械的応力、負荷、または環境的条件（水または空気など）から保護する役割を果たし、ある場合には、たとえばまわりの環境の音響インピーダンスを整合させることにより装置の性能を向上させるか促進する。封入剤は、ポリウレタン、ポリエチレンまたは他のエラストマーを含むが、これに限定されるものではない。
【００５９】
封入する
完全に中に封じ込めること。
【００６０】
外側コーティングジャケット
プラスチック、ゴムまたは他のエラストマーなどの材料から作られ、補強メンバセグメントを被覆し保護する物体。
【図面の簡単な説明】
【図１】  センサアレイケーブルの典型的な実施例の断面における頂部立面図である。
【図２】  インターリンク／センサアセンブリの部分断面における斜視図である。
【図３】  インターリンク／センサアセンブリの実施例の構成要素の斜視図である。
【図４】  ノード間の、図１のケーブルの一部の断面における側面図である。
【図５】  被覆成形物を示す、図１のケーブル上のノードの側面図である。
【図６】  図１のケーブルのノード間から取除かれた、保護ジャケットセグメントの内部部分の側面図である。
【図７】  図１のケーブルのノード間から取除かれた、補強メンバセグメントの一部の側面図である。
【図８】  図１のケーブルのノード間に終端を備えた、補強メンバセグメントの自由端の側面図である。
【図９】  楔終端を備えた、図１のケーブルの補強メンバ終結の部分断面における側面立面図である。
【図１０】  鋳造終端を備えた、図１のケーブルの補強メンバ終端の部分断面における側面立面図である。
【図１１】  ブレード処理されたスプライス終端を備えた、図１のケーブルの補強メンバ終端の部分断面における側面立面図である。
【図１２】  結び目終端を備えた、図１のケーブルの補強メンバ終端の部分断面における側面立面図である。
【図１３】  キャプスタン終端を備えた、図１のケーブルの補強メンバ終端の部分断面における側面立面図である。
【図１４】  図１のケーブルの補強メンバセグメントに装着された、インターリンクの斜視図である。
【図１５】  終結された補強メンバを捕獲するためにインターリンク上に設置されたクリップの断面における側面図である。
【図１６】  インターリンク／センサアセンブリに隣接する、設置されたクリップの頂部立面図である。
【図１７】  被覆成形物内に封入された、設置されたインターリンク／センサアセンブリの断面における上面図である。
【図１８】  図１のケーブルにおける設置されたインターリンク／センサアセンブリおよび被覆成形物の斜視図である。
【図１９】  インターリンクがセンサ装置の内部に存在する、設置されたインターリンク／センサアセンブリの斜視図である。
【図２０】  ノード間の図１のケーブルの一部の断面における側面図である。
【図１】
0004451569.tif 000002
【図２】
0004451569.tif 000003
【図３】
0004451569.tif 000004
【図４】
0004451569.tif 000005
【図５】
0004451569.tif 000006
【図６】
0004451569.tif 000007
【図７】
0004451569.tif 000008
【図８】
0004451569.tif 000009
【図９】
0004451569.tif 000010
【図１０】
0004451569.tif 000011
【図１１】
0004451569.tif 000012
【図１２】
0004451569.tif 000013
【図１３】
0004451569.tif 000014
【図１４】
0004451569.tif 000015
【図１５】
0004451569.tif 000016
【図１６】
0004451569.tif 000017
【図１７】
0004451569.tif 000018
【図１８】
0004451569.tif 000019
【図１９】
0004451569.tif 000020
【図２０】
0004451569.tif 000021